(57)【要約】      （修正有）【課題】光ファイバ用トレイの移動（引き出し又は押し込み）を繰り返しても、光ファイバ用トレイから引き出された光ファイバコード束の余長が、上下に位置する他の光ファイバ用トレイから引き出された光ファイバコード束の余長と絡まることを抑制することができる光配線ユニット、光ファイバ用トレイ及び光ファイバコードの配線ガイドを提供する。【解決手段】光配線ユニット５０は、引き出し可能な光ファイバ用トレイ３０を複数積層収容した光配線ユニットであって、光ファイバ用トレイは、引き出しの方向と交差する方向に光ファイバコードを入出する配線口３６を有するトレイ本体と、配線口に取り付けられ、引き出しの方向における端部ほど細くなるように形成された光ファイバコードの配線ガイド１とを有する。【選択図】図１
2018185508.tif 000002
【特許請求の範囲】
【請求項１】
引き出し可能な光ファイバ用トレイを複数積層収容した光配線ユニットであって、
前記光ファイバ用トレイは、
前記引き出しの方向と交差する方向に光ファイバコードを入出する配線口を有するトレイ本体と、
前記配線口に取り付けられ、前記引き出しの方向における端部ほど細くなるように形成された前記光ファイバコードの配線ガイドと
を有することを特徴とする光配線ユニット。
【請求項２】
請求項１に記載の光配線ユニットであって、
前記光ファイバ用トレイは、
前記配線口に設けられ、前記光ファイバコードの束をまとめる配線クリップを有し、
前記配線ガイドは、前記引き出しの方向における前記配線クリップの長さより長い
ことを特徴とする光配線ユニット。
【請求項３】
請求項１又は２に記載の光配線ユニットであって、
前記配線ガイドは、前記引き出しの方向において前記配線口よりも突出している
ことを特徴とする光配線ユニット。
【請求項４】
光配線ユニットに引き出し可能に複数積層収容される光ファイバ用トレイであって、
前記引き出しの方向と交差する方向に光ファイバコードを入出する配線口を有するトレイ本体と、
前記配線口に取り付けられ、前記引き出しの方向における端部ほど細くなるように形成された前記光ファイバコードの配線ガイドと
を有することを特徴とする光ファイバ用トレイ。
【請求項５】
光配線ユニットに引き出し可能に複数積層収容される光ファイバ用トレイに設けられた、光ファイバコードの配線ガイドであって、
前記光ファイバ用トレイは、前記引き出しの方向と交差する方向に前記光ファイバコードを入出する配線口を有するトレイ本体を有し、
前記配線口に取り付けられ、前記引き出しの方向における端部ほど細くなるように形成されている
ことを特徴とする光ファイバコードの配線ガイド。
【請求項６】
引き出し可能な光ファイバ用トレイを複数積層収容した光配線ユニットであって、
前記光ファイバ用トレイは、
前記引き出しの方向と交差する方向に光ファイバコードを入出する配線口を有するトレイ本体と、
前記配線口に取り付けられた前記光ファイバコードの配線ガイドと
を有することを特徴とする光配線ユニット。
【発明の詳細な説明】
【技術分野】
【０００１】
本発明は、光配線ユニット、光ファイバ用トレイ及び光ファイバコードの配線ガイドに関する。
【背景技術】
【０００２】
特許文献１には、光ファイバを収容する光ファイバ用トレイを引き出し可能に構成する光配線ユニットが記載されている。この光配線ユニットには、光ファイバ用トレイの側部に設けられた配線口から引き出された光ファイバコードの引き出し余長が収納される引出余長収納空間が設けられている。
【先行技術文献】
【特許文献】
【０００３】
【特許文献１】特開２００５−１５７１９５号公報
【発明の概要】
【発明が解決しようとする課題】
【０００４】
特許文献１に記載されているような光配線ユニットにおいては、光ファイバ用トレイの配線口から引き出される光ファイバコードは多数の束となっている。さらに、光配線ユニットを構成する光ファイバ用トレイは上下に複数積層収容されている。このため、ある光ファイバ用トレイの移動（引き出し又は押し込み）を繰り返すうちに、当該光ファイバ用トレイから引き出された光ファイバコード束の余長が、上下に位置する他の光ファイバ用トレイから引き出された光ファイバコード束の余長と絡まってしまうことがあった。
【０００５】
本発明は、光ファイバ用トレイの移動（引き出し又は押し込み）を繰り返しても、当該光ファイバ用トレイから引き出された光ファイバコード束の余長が、上下に位置する他の光ファイバ用トレイから引き出された光ファイバコード束の余長と絡まることを抑制することができる光配線ユニットを提供することを目的とする。
【課題を解決するための手段】
【０００６】
本発明の幾つかの実施形態は、引き出し可能な光ファイバ用トレイを複数積層収容した光配線ユニットであって、前記光ファイバ用トレイは、前記引き出しの方向と交差する方向に光ファイバコードを入出する配線口を有するトレイ本体と、前記配線口に取り付けられ、前記引き出しの方向における端部ほど細くなるように形成された前記光ファイバコードの配線ガイドとを有することを特徴とする光配線ユニットである。
【０００７】
本発明の他の特徴については、後述する明細書及び図面の記載により明らかにする。
【発明の効果】
【０００８】
本発明の幾つかの実施形態によれば、光ファイバ用トレイの移動（引き出し又は押し込み）を繰り返しても、当該光ファイバ用トレイから引き出された光ファイバコード束の余長が、上下に位置する他の光ファイバ用トレイから引き出された光ファイバコード束の余長と絡まることを抑制することができる。
【図面の簡単な説明】
【０００９】
【図１】図１は、第１実施形態の光配線ユニット５０の全体斜視図である。
【図２】図２Ａは、光ファイバ用トレイ３０の平面図である。図２Ｂは、光ファイバ用トレイ３０の右側面図である。
【図３】図３は、第１実施形態の光配線ユニット５０において、光ファイバ用トレイ３０を引き出した際の全体斜視図である。
【図４】図４Ａは、第２実施形態の光ファイバ用トレイ３０の平面図である。図４Ｂは、第２実施形態の光ファイバ用トレイ３０の右側面図である。
【図５】図５Ａは、第３実施形態の光ファイバ用トレイ３０の平面図である。図５Ｂは、第３実施形態の光ファイバ用トレイ３０の右側面図である。
【発明を実施するための形態】
【００１０】
後述する明細書及び図面の記載から、少なくとも以下の事項が明らかとなる。
【００１１】
引き出し可能な光ファイバ用トレイを複数積層収容した光配線ユニットであって、前記光ファイバ用トレイは、前記引き出しの方向と交差する方向に光ファイバコードを入出する配線口を有するトレイ本体と、前記配線口に取り付けられ、前記引き出しの方向における端部ほど細くなるように形成された前記光ファイバコードの配線ガイドとを有することを特徴とする光配線ユニットが明らかとなる。このような光配線ユニットによれば、光ファイバ用トレイの移動（引き出し又は押し込み）を繰り返しても、当該光ファイバ用トレイから引き出された光ファイバコード束の余長が、上下に位置する他の光ファイバ用トレイから引き出された光ファイバコード束の余長と絡まることを抑制することができる。
【００１２】
前記光ファイバ用トレイは、前記配線口に設けられ、前記光ファイバコードの束をまとめる配線クリップを有し、前記配線ガイドは、前記引き出しの方向における前記配線クリップの長さより長いことが望ましい。これにより、配線クリップを介して入出する多数の光ファイバコードを漏れなくガイドすることができる。
【００１３】
前記配線ガイドは、前記引き出しの方向において前記配線口よりも突出していることが望ましい。これにより、配線口を入出する多数の光ファイバコードを漏れなくガイドすることができる。
【００１４】
光配線ユニットに引き出し可能に複数積層収容される光ファイバ用トレイであって、前記引き出しの方向と交差する方向に光ファイバコードを入出する配線口を有するトレイ本体と、前記配線口に取り付けられ、前記引き出しの方向における端部ほど細くなるように形成された前記光ファイバコードの配線ガイドとを有することを特徴とする光ファイバ用トレイが明らかとなる。このような光ファイバ用トレイによれば、光ファイバ用トレイの移動（引き出し又は押し込み）を繰り返しても、当該光ファイバ用トレイから引き出された光ファイバコード束の余長が、上下に位置する他の光ファイバ用トレイから引き出された光ファイバコード束の余長と絡まることを抑制することができる。
【００１５】
光配線ユニットに引き出し可能に複数積層収容される光ファイバ用トレイに設けられた、光ファイバコードの配線ガイドであって、前記光ファイバ用トレイは、前記引き出しの方向と交差する方向に前記光ファイバコードを入出する配線口を有するトレイ本体を有し、前記配線口に取り付けられ、前記引き出しの方向における端部ほど細くなるように形成されていることを特徴とする光ファイバコードの配線ガイドが明らかとなる。このような光ファイバコードの配線ガイドによれば、光ファイバ用トレイの移動（引き出し又は押し込み）を繰り返しても、当該光ファイバ用トレイから引き出された光ファイバコード束の余長が、上下に位置する他の光ファイバ用トレイから引き出された光ファイバコード束の余長と絡まることを抑制することができる。
【００１６】
引き出し可能な光ファイバ用トレイを複数積層収容した光配線ユニットであって、前記光ファイバ用トレイは、前記引き出しの方向と交差する方向に光ファイバコードを入出する配線口を有するトレイ本体と、前記配線口に取り付けられた前記光ファイバコードの配線ガイドとを有することを特徴とする光配線ユニットが明らかとなる。このような光配線ユニットによれば、光ファイバ用トレイの移動（引き出し又は押し込み）を繰り返しても、当該光ファイバ用トレイから引き出された光ファイバコード束の余長が、上下に位置する他の光ファイバ用トレイから引き出された光ファイバコード束の余長と絡まることを抑制することができる。
【００１７】
＝＝＝第１実施形態＝＝＝
＜光配線ユニット及び光ファイバ用トレイの構成＞
図１は、第１実施形態の光配線ユニット５０の全体斜視図である。図２Ａは、光ファイバ用トレイ３０の平面図である。図２Ｂは、光ファイバ用トレイ３０の右側面図である。まず、図１、図２Ａ及び図２Ｂに示す光配線ユニット５０及び光ファイバ用トレイ３０の基本的な構成を説明し、その後に、本実施形態の特徴部分である、光ファイバ用トレイ３０に取り付けられた配線ガイド１の構成について説明する。
【００１８】
以下の説明では、図に示すように各方向を定義する。すなわち、光配線ユニット５０に対して光ファイバ用トレイ３０を移動（引き出し又は押し込み）させる方向を「前後方向」とし、光ファイバ用トレイ３０を引き出す側を「前」とし、逆側（押し込む側）を「後」とする。なお、前後方向のことを「引き出し方向」と称することがある。また、複数の光ファイバ用トレイ３０を積層させる方向を「上下方向」とし、光ファイバ用トレイ３０においてコネクタホルダ３５が設けられる面の側を「上」とし、逆側（光ファイバ用トレイ３０の底面の側）を「下」とする。また、前後方向及び上下方向に垂直な方向を「左右方向」とし、前から後を見たときの右側を「右」とし、逆側を「左」とする。
【００１９】
光配線ユニット５０は、光ファイバケーブルと複数本の光ファイバとの接続等に用いられる光コネクタ、融着接続部、多心単心分岐部、接続余長等を整理して収納する機器である。光配線ユニット５０は、光配線盤、光配線箱、光接続箱、光成端箱又は光成端架とも称することがある。
【００２０】
光配線ユニット５０は、光ファイバ用トレイ３０と、トレイ収容枠４０とを有する。本実施形態の光配線ユニット５０は、トレイ収容枠４０に複数の光ファイバ用トレイ３０が上下に積層収容されている。なお、図１に示す光配線ユニット５０では、５段の光ファイバ用トレイ３０が積層収容されているが、光ファイバ用トレイ３０の段数はこれに限られず、複数であれば何段であってもよい。
【００２１】
光ファイバ用トレイ３０は、光ファイバ同士の接続のために、光ファイバのほか、光スプリッタ、光コネクタアダプタ、余長収納ケース等が収納される部材である。光ファイバ用トレイ３０は、横置き、すなわち、光ファイバ用トレイ３０の底板がほぼ水平となる向きでトレイ収容枠４０に収容されている。また、光ファイバ用トレイ３０は、光配線ユニット５０（トレイ収容枠４０）に対して、前方向に引き出したり、後方向に押し込んだり（収容）することが可能である（引き出した際の光ファイバ用トレイ３０については、図３を参照）。なお、以下の説明では、「引き出し」と称する場合、「押し込み（収容）」も含むことがある。
【００２２】
光ファイバ用トレイ３０は、トレイ底板３１と、トレイ側板３２と、ガイド取り付け部３４と、配線ガイド１とを有する。トレイ底板３１と、トレイ側板３２と、ガイド取り付け部３４とを合わせてトレイ本体と称することがある。以下、配線ガイド１以外の構成であるトレイ本体の構成について説明する。
【００２３】
トレイ底板３１は、光ファイバ同士の接続時に光ファイバコードの接続余長が載置される部位である。また、光ファイバ同士の接続のための光スプリッタ、光コネクタアダプタ等が設けられる部位でもある。トレイ底板３１上には、配線クリップ３３と、コネクタホルダ３５と、束押さえ部３７とが設けられている。
【００２４】
配線クリップ３３は、光ファイバ用トレイ３０にて接続するために引き込まれる光ファイバコード１００の束をまとめる部材である（図２Ａ参照）。配線クリップ３３は、トレイ底板３１上の配線口３６（後述）の付近に設けられている。但し、配線クリップ３３は、設けられなくてもよい。
【００２５】
コネクタホルダ３５は、光ファイバコード１００の先端に組み立てられた光コネクタ１０１を接続する光コネクタアダプタを固定する部材である（図２Ａ参照）。コネクタホルダ３５に固定された光コネクタアダプタは、図２Ａ中の右側の配線口３６（又は配線クリップ３３）を介して光ファイバ用トレイ３０に引き込まれた光ファイバコード１００と、他側（左側）の配線口３６から引き込まれた光ファイバコード１００とをコネクタ接続するものであり、光ファイバコード１００先端に組み立てられた光コネクタ１０１が両側から挿入されて、内部で接続されるようになっている。
【００２６】
光コネクタアダプタに接続される光コネクタ１０１としては、例えばＳＣ形光コネクタ（ＪＩＳＣ５９７３に制定される光コネクタ。ＳＣ：Single fiber Coupling optical fiber connector）、ＳＣ２形光コネクタ、ＭＵ形光コネクタ（ＪＩＳＣ５９８３に制定される光コネクタ。ＭＵ：Miniature - Unit coupling optical fiber connector） 、ＭＴ形光コネクタ（ＪＩＳＣ５９８１等に制定される光コネクタ。ＭＴ：Mechanically Transferable）等を使用することができる。
【００２７】
束押さえ部３７は、トレイ底板３１上で光ファイバコード１００の接続余長を支持する部位である。図２Ａでは、配線口３６（又は配線クリップ３３）を介して光ファイバ用トレイ３０に引き込まれた光ファイバコード１００の束を二つに分岐し、接続余長がそれぞれ円を描くようにして支持されている。但し、接続余長の支持の方法はこれに限られない。また、束押さえ部３７は設けられなくてもよい。
【００２８】
トレイ側板３２は、トレイ底板３１の周縁に立設され、側壁となる部位である。トレイ側板３２は、光ファイバコード１００が入出する部分のみ切りかかれており、その切り欠き部分が配線口３６となっている。
【００２９】
ガイド取り付け部３４は、トレイ底板３１に接続するように設けられ、後述する配線ガイド１を支持する部材である。ガイド取り付け部３４は、配線口３６から下方に突出するように設けられている。
【００３０】
トレイ収容枠４０は、光ファイバ用トレイ３０を引き出し可能に支持する枠状の部材である。光ファイバ用トレイ３０を引き出し可能にするために、トレイ収容枠４０には固定側レール（不図示）が設けられてもよい。一方、光ファイバ用トレイ３０には移動側レール（不図示）が設けられてもよい。但し、引き出しの方法はレール同士の摺動によるものに限られない。例えば、トレイ収容枠４０にはレール、光ファイバ用トレイ３０には当該レール上を移動する車輪が設けられるなど、他の方法によって光ファイバ用トレイ３０が引き出し可能に収容されてもよい。
【００３１】
＜配線ガイドの構成＞
次に、配線ガイド１について説明する。配線ガイド１は、光ファイバ用トレイに入出する光ファイバコード１００をガイドする部材である。配線ガイド１は、光ファイバ用トレイ３０のガイド取り付け部３４に取り付けられている。配線ガイド１は、光ファイバコード１００の入出方向（左右方向）とは直交する向き（引き出し方向、前後方向）に設けられた棒状の部材である。つまり、配線ガイド１は、光ファイバ用トレイ３０の引き出し方向（前後方向）に平行に設けられた棒状の部材である。配線ガイド１は、配線口３６から下方に突出するように設けられたガイド取り付け部３４に取り付けられているので、光ファイバコード１００は、配線ガイド１の上を跨ぐようにしてガイドされている。これにより、配線口３６（又は配線クリップ３３）から引き出された光ファイバコード１００は、引き出された後すぐに下に垂れ下がらず、左右方向に維持されている。したがって、上下に位置する他の光ファイバ用トレイ３０から引き出された光ファイバコード１００の束と交わり、絡み合ってしまうことを抑制することができる（後述する図３を参照）。
【００３２】
配線ガイド１は、ガイド本体２と、ガイド端３とを有する。
【００３３】
ガイド本体２は、引き出し方向（前後方向）に延在する棒状の部位である。ガイド本体２は、ガイド取り付け部３４に取り付けられる。なお、ガイド本体２の上下方向及び左右方向の長さは、引き出し方向（前後方向）においてほぼ一定となっている。つまり、引き出し方向（前後方向）において、太さはほぼ一定である。
【００３４】
ガイド端３は、ガイド本体２の前後両端に位置する部位である。本実施形態の配線ガイド１は、両端にいくほど、上下方向及び左右方向の長さが小さくなるようなテーパ面４を有する。すなわち、ガイド端３は、前後方向（光ファイバ用トレイ３０の引き出し方向）における端部ほど細くなるように形成されている。なお、図２Ａに示す配線ガイド１では、トレイ側板３２側に徐々に細くなるようにテーパ面４が形成されている。
【００３５】
図２Ａに示すように、前後方向（引き出し方向）における配線ガイド１の長さ（Ｙ）は、配線クリップ３３の長さ（Ｘ）より長くなっている（Ｙ＞Ｘ）。これにより、配線クリップを介して入出する多数の光ファイバコード１００の束を漏れなくガイドすることができる。
【００３６】
また、配線ガイド１は、前後方向（引き出し方向）において配線口３６よりも突出している。これにより、配線クリップを介して入出する多数の光ファイバコード１００の束を漏れなくガイドすることができる。
【００３７】
＜光ファイバ用トレイの移動（引き出し又は押し込み）について＞
図３は、第１実施形態の光配線ユニット５０において、光ファイバ用トレイ３０を引き出した際の全体斜視図である。図３では、光配線ユニット５０の複数積層された光ファイバ用トレイ３０のうち、上から２段目の光ファイバ用トレイ３０を引き出した際の図を示している。図３に示すように、配線口３６（又は配線クリップ３３）から引き出された光ファイバコード１００は、余長が形成されている。この余長は、前述の接続余長と区別する意味で、引き出し余長１０２と称する。
【００３８】
前述の構成の光ファイバ用トレイ３０をトレイ収容枠４０から引き出すには、図３に示す光ファイバ用トレイ３０を前側に向けて引き出す。このとき、光ファイバ用トレイ３０をトレイ収容枠４０から引き出すに伴い、引き出し余長１０２も、光ファイバ用トレイ３０と一体的に移動し、引き出し余長１０２がトレイ収容枠４０の前側に引き出されてくるため、引き出し余長１０２のＵ字状に湾曲配線されている部分が引き伸ばされる。そして、図３に示すように、光ファイバ用トレイ３０がトレイ収容枠４０から引き出される。この状態で、光コネクタ１０１の交換及び切り替え作業を行うことができる。この際、光ファイバコード１００の引き出し余長１０２が光ファイバ用トレイ３０の側部に引き出されていることにより、光ファイバコード１００の交換、切り替え作業に必要な長さが十分に確保されている。
【００３９】
次に、光ファイバ用トレイ３０をトレイ収容枠４０に収容するには、光ファイバ用トレイ３０を収容方向（後方向）に押し込む。このとき、上下に位置する他の光ファイバ用トレイ（１段目の光ファイバ用トレイ３０と３段目の光ファイバ用トレイ３０）からも同様に光ファイバコード１００が引き出され、引き出し余長１０２が形成されている。このため、光ファイバコードの余長同士の絡まりを防ぐためには、引き出された光ファイバ用トレイ３０（２段目）から引き出された光ファイバコード１００の余長は、所定の場所に収容する必要ある。すなわち、光ファイバ用トレイ３０（１段目）と光ファイバ用トレイ３０（３段目）から引き出された光ファイバコード１００の束の間の空間に収容する必要ある。
【００４０】
前述したように、光ファイバ用トレイ３０のガイド取り付け部３４は、光ファイバ用トレイ３０の配線口３６から下方に突出するように設けられている。そして、このガイド取り付け部３４に本実施形態の配線ガイド１が取り付けられている。したがって、配線口３６（又は配線クリップ３３）から引き出された光ファイバコード１００は、配線ガイド１上で、配線ガイド１によって左右方向（配線口３６における光ファイバコード１００の入出方向）に延び出るようにガイドされている。本実施形態では、配線ガイド１があることにより、配線口３６から引き出された光ファイバコード１００が下方に垂れ下がるまでの距離は、配線ガイド１の幅の分だけ長くなる。つまり、本実施形態では、配線ガイド１があることにより、配線口３６から引き出された光ファイバコード１００の垂れ下がりの撓みが緩やかになる。これにより、配線口３６から引き出された光ファイバコード１００の束の下部には、配線ガイド１がない時と比べて、より大きな空間が形成されることになる。
【００４１】
図３に示すように、１段目乃至３段目の光ファイバ用トレイ３０の配線口３６から引き出された光ファイバコード１００の束は、配線ガイド１によって右方向に延び出ている。このため、光配線ユニット５０を前から後方向に見た時に、１段目の光ファイバ用トレイ３０の配線口３６から引き出された光ファイバコード１００の束の下部には、配線ガイド１がない時と比べて、より大きな空間が形成されている。同様に、光配線ユニット５０を前から後方向に見た時に、２段目の光ファイバ用トレイ３０の配線口３６から引き出された光ファイバコード１００の束の下部にも、配線ガイド１がない時と比べて、より大きな空間が形成されている。
【００４２】
これにより、引き出された２段目の光ファイバ用トレイ３０を押し込む際、２段目の光ファイバ用トレイ３０から引き出された光ファイバコード１００の束は、１段目の光ファイバ用トレイ３０から引き出された光ファイバコード１００の束の下部に形成された空間に収まることになる。同様に、引き出された２段目の光ファイバ用トレイ３０を押し込む際、３段目の光ファイバ用トレイ３０から引き出された光ファイバコード１００の束は、２段目の光ファイバ用トレイ３０から引き出された光ファイバコード１００の束の下部に形成された空間に収まることになる。したがって、ある光ファイバ用トレイ３０（ここでは、２段目）の配線口３６から引き出された光ファイバコード１００の束の引き出し余長１０２が、上下方向に互いに位置する光ファイバ用トレイ３０（ここでは、１段目及び３段目）の配線口３６から引き出された光ファイバコード１００の束の引き出し余長１０２と絡まることを抑制することができる。
【００４３】
なお、上記では光ファイバ用トレイ３０を押し込む際の、上下方向に互いに位置する光ファイバ用トレイ３０における光ファイバコード１００の束の引き出し余長１０２同士の絡まりの抑制について述べたが、押し込まれた状態の光ファイバ用トレイ３０を引き出す場合についても同様である。つまり、押し込まれた状態の光ファイバ用トレイ３０を引き出す場合でも、配線口３６から引き出された光ファイバコード１００の束の引き出し余長１０２が、上下方向に互いに位置する光ファイバ用トレイ３０の配線口３６から引き出された光ファイバコード１００の束の引き出し余長１０２と絡まることを抑制することができる。
【００４４】
前述の通り、本実施形態の配線ガイド１は、引き出し方向に設けられた棒状の部材であり、後側のガイド端３は、引き出し方向における端部ほど細くなるように形成されている。これにより、光ファイバ用トレイ３０（１段目）と光ファイバ用トレイ３０（３段目）から引き出された光ファイバコード１００の束の間の空間に配線ガイド１を容易に差し込むことができる。したがって、配線ガイド１にガイドされた光ファイバコード１００も、光ファイバ用トレイ３０（１段目）と光ファイバ用トレイ３０（３段目）から引き出された光ファイバコード１００の束の間の空間に容易に収容することができる。
【００４５】
なお、本実施形態の配線ガイド１は、引き出し方向における端部ほど細くなるように形成されていることにより、光ファイバ用トレイ３０を押し込む際又は光ファイバ用トレイ３０を引き出す際に、上下に位置する他の光ファイバ用トレイ３０から引き出された光ファイバコード１００の束の下部に形成された空間に差し入れやすくなっている。これにより、引き出し又は押し込まれる光ファイバ用トレイ３０の配線口３６から引き出された光ファイバコードの束の引き出し余長１０２が、上下方向に互いに位置する光ファイバ用トレイ３０の配線口３６から引き出された光ファイバコード１００の束の引き出し余長１０２と絡まることを抑制することができる。
【００４６】
また、前述の通り、図２Ａに示す配線ガイド１では、ガイド端３がトレイ側板３２側に徐々に細くなるように形成されている。これにより、光ファイバ用トレイ３０（１段目）と光ファイバ用トレイ３０（３段目）から引き出された光ファイバコード１００の束の間の空間において、光ファイバコード１００の束の入出する根元側から配線ガイド１を容易に差し込むことができる。
【００４７】
なお、本実施形態の配線ガイド１のガイド端３は、前側の端部も細くなるように形成されている。これは、光ファイバ用トレイ３０の引き出し時において特に有用である。つまり、光ファイバ用トレイ３０の引き出し時にも、光ファイバ用トレイ３０（１段目）と光ファイバ用トレイ３０（３段目）から引き出された光ファイバコード１００の束の間をよりわけることができる。これにより、配線ユニット５０に対する光ファイバ用トレイ３０の移動（引き出し又は押し込み）を繰り返しても、光ファイバコード１００の引き出し余長１０２同士の絡まりを抑制することができる。但し、前側のガイド端３は、細くなるように形成されなくてもよい（後側のガイド端３のみ細くなるように形成されてもよい）。
【００４８】
＝＝＝第２実施形態＝＝＝
図４Ａは、第２実施形態の光ファイバ用トレイ３０の平面図である。図４Ｂは、第２実施形態の光ファイバ用トレイ３０の右側面図である。図４Ａ及び図４Ｂに示すように、第２実施形態の配線ガイド１は、平板状に形成されてもよい。また、配線口３６外部に突出したトレイ底板３１の一部分として形成されてもよい。なお、配線ガイド１の引き出し方向における端部は、左右方向に細くなるように形成されている。
【００４９】
＝＝＝第３実施形態＝＝＝
図５Ａは、第３実施形態の光ファイバ用トレイ３０の平面図である。図５Ｂは、第３実施形態の光ファイバ用トレイ３０の右側面図である。図５Ａ及び図５Ｂに示すように、第３実施形態の配線ガイド１は、支持軸５に挿通されるように形成されてもよい。なお、配線ガイド１の引き出し方向における端部は、左右方向に細くなるように形成されている。
【００５０】
＝＝＝その他＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００５１】
１  配線ガイド、２  ガイド本体、３  ガイド端、４  テーパ面、５  支持軸
３０  光ファイバ用トレイ、３１  トレイ底板、３２  トレイ側板  ３３  配線クリップ、
３４  ガイド取り付け部、３５  コネクタホルダ、３６  配線口、３７  束押さえ部
４０  トレイ収容枠
５０  光配線ユニット、
１００  光ファイバコード、
１０１  光コネクタ、１０２  引き出し余長
【図１】
2018185508.tif 000003
【図２】
2018185508.tif 000004
【図３】
2018185508.tif 000005
【図４】
2018185508.tif 000006
【図５】
2018185508.tif 000007